(57)【特許請求の範囲】
【請求項１】
それぞれ通信信号を伝送する複数のメタルケーブル心線を収容する通信所の外側で、心線対照作業を行うための心線対照システムであって、
前記通信所の外側は、
前記複数のメタルケーブル心線のうち少なくとも１つのメタルケーブル心線に対し接触する接触部と、
前記メタルケーブル心線とは異なる通信回線を介して接続可能な情報処理部とを備え、
前記通信所は、
前記複数のメタルケーブル心線の使用状況を検出するとともに、前記接触部により接触したメタルケーブル心線を検出し、これらの検出結果に基づいて、前記接触部により接触したメタルケーブル心線を特定する心線識別情報、及び前記複数のメタルケーブル心線それぞれの使用状況を示す回線状況情報を含む回線表示制御情報を生成し、前記回線表示制御情報を前記通信回線に送信する対照心線特定装置を備え、
前記情報処理部は、
前記通信所から前記通信回線を介して送信される前記回線表示制御情報を受信する受信手段と、
前記回線表示制御情報に基づいて、表示器に前記複数のメタルケーブル心線それぞれの使用状況を表示し、前記接触部により接触したメタルケーブル心線を他のメタルケーブル心線とは識別された表示形態で表示する表示制御手段とを備える
ことを特徴とする心線対照システム。
【請求項２】
前記接触部は、接触したメタルケーブル心線を介して、聴取不能な周波数の対照信号を前記対照心線特定装置に送信し、
前記対照心線特定装置は、前記対照信号を受信することで、前記接触部により接触したメタルケーブル心線を検出することを特徴とする請求項１記載の心線対照システム。
【請求項３】
前記接触部は、前記対照信号に超音波を用いることを特徴とする請求項２記載の心線対照システム。
【請求項４】
それぞれ通信信号を伝送する複数のメタルケーブル心線を収容する通信所の外側で、心線対照作業を行うための心線対照方法であって、
前記通信所の外側において、前記複数のメタルケーブル心線のうち少なくとも１つのメタルケーブル心線に対し接触部を用いて接触する第１の工程と、
前記通信所において、前記複数のメタルケーブル心線の使用状況を検出するとともに、前記接触したメタルケーブル心線を検出し、これらの検出結果に基づいて、前記接触したメタルケーブル心線を特定する心線識別情報、及び前記複数のメタルケーブル心線それぞれの使用状況を示す回線状況情報を含む回線表示制御情報を生成する第２の工程と、
前記第２の工程で生成された前記回線表示制御情報を、前記メタルケーブル心線とは異なる通信回線を介して送信する第３の工程と、
前記通信所の外側において、前記通信所から前記通信回線を介して送信される前記回線表示制御情報を受信する第４の工程と、
前記通信所の外側において、前記回線表示制御情報に基づいて、表示器に前記複数のメタルケーブル心線それぞれの使用状況を表示し、前記接触部により接触したメタルケーブル心線を他のメタルケーブル心線とは識別された表示形態で前記表示器に表示する第５の工程と
を具備することを特徴とする心線対照方法。
【請求項５】
それぞれ通信信号を伝送する複数のメタルケーブル心線を収容する通信所の外側で使用される情報処理部により実行されるプログラムであって、前記情報処理部を
前記通信所から通信回線を介して送信され、前記通信所の外側で接触部を用いて接触したメタルケーブル心線を特定する心線識別情報、及び前記複数のメタルケーブル心線それぞれの使用状況を示す回線状況情報を含む回線表示制御情報を受信する受信手段と、
前記回線表示制御情報に基づいて、表示器に前記複数のメタルケーブル心線それぞれの使用状況を表示し、前記接触したメタルケーブル心線を他のメタルケーブル心線とは識別された表示形態で表示する表示制御手段と
して動作させるプログラム。
【請求項６】
それぞれ通信信号を伝送する複数のメタルケーブル心線を収容する通信所の外側で、心線対照作業を行うために使用される情報端末装置であって、
前記複数のメタルケーブル心線のうち少なくとも１つのメタルケーブル心線に対し接触する接触部と、
前記通信所から前記メタルケーブル心線とは異なる通信回線を介して送信され、前記接触部により接触したメタルケーブル心線を特定する心線識別情報、及び前記複数のメタルケーブル心線それぞれの使用状況を示す回線状況情報を含む回線表示制御情報を受信する受信部と、
前記回線表示制御情報に基づいて、表示器に前記複数のメタルケーブル心線それぞれの使用状況を表示し、前記接触部により接触したメタルケーブル心線を他のメタルケーブル心線とは識別された表示形態で表示する表示制御部とを備える
ことを特徴とする情報端末装置。
【発明の詳細な説明】
【技術分野】
【０００１】
本発明は、地中に埋設されたメタルケーブル心線を切り替えるために使用される心線対照システム、心線対照方法、プログラム及び情報端末装置に関する。
【背景技術】
【０００２】
近年、地中に埋設されたメタルケーブルを用いた通信システムでは、支障移転工事やメタルケーブルの収容替え工事が行われる。支障移転工事やメタルケーブルの収容替え工事では、同時に多数のメタルケーブル心線を接続するため、誤接続事故を起こさないよう、全てのメタルケーブル心線番号を通信所側、ユーザ側ともに確認する必要がある。
【０００３】
そこで、メタルケーブル心線が敷設されたマンホール内において、心線対照と呼ばれる作業を行う必要がある。この心線対照に係る全作業の内、通信所外（所外）にて行う作業は、作業者が心線対照受信器とテストホンとを携帯し、マンホール内の作業現場にてこれらを使用することにより行っている。
【先行技術文献】
【特許文献】
【０００４】
【特許文献１】特開平１０−３０８８２３号公報
【発明の概要】
【発明が解決しようとする課題】
【０００５】
ところで、心線対照を行う際に、マンホール側の作業者は、所内側の作業者と同期して、作業を進める必要があり、作業が完了するまでに多くの手間と時間がかかる。
【０００６】
また、マンホール側の作業者が、指定された心線を見つけ出さなければならないため、マンホール側の作業者に熟練及び専門的知識が必要となる。
【０００７】
本発明の目的は、メタルケーブルの心線対照に係る作業を、所外側の作業者が所内側の作業者と同期して行うことなく迅速かつ適切に行い得る心線対照システム、心線対照方法、プログラム及び情報端末装置を提供することにある。
【課題を解決するための手段】
【０００８】
上記目的を達成するために、本発明に係る心線対照システムは、それぞれ通信信号を伝送する複数のメタルケーブル心線を収容する通信所の外側で、心線対照作業を行うための心線対照システムであって、前記通信所の外側は、前記複数のメタルケーブル心線のうち少なくとも１つのメタルケーブル心線に対し接触する接触部と、前記メタルケーブル心線とは異なる通信回線を介して接続可能な情報処理部とを備え、前記通信所は、前記複数のメタルケーブル心線の使用状況を検出するとともに、前記接触部により接触したメタルケーブル心線を検出し、これらの検出結果に基づいて、前記接触部により接触したメタルケーブル心線を特定する心線識別情報、及び前記複数のメタルケーブル心線それぞれの使用状況を示す回線状況情報を含む回線表示制御情報を生成し、前記回線表示制御情報を前記通信回線に送信する対照心線特定装置を備え、前記情報処理部は、前記通信所から前記通信回線を介して送信される前記回線表示制御情報を受信する受信手段と、前記回線表示制御情報に基づいて、表示器に前記複数のメタルケーブル心線それぞれの使用状況を表示し、前記接触部により接触したメタルケーブル心線を他のメタルケーブル心線とは識別された表示形態で表示する表示制御手段とを備えるようにしたものである。
【０００９】
この構成によれば、通信所の外側において、任意のメタルケーブル心線を接触部を用いて接触してから任意のメタルケーブル心線を表示する処理までの工程が、人手を要することなく全て自動的に行われることになる。このため、所内の作業者による心線対照作業が一切不要となる。従って、通信所の外側つまりマンホールの作業者にとっては、所内側の作業者と同期して行うことなく、さらに熟練及び専門的知識を必要とすることなく、心線対照作業を迅速かつ適切に行うことができる。
【００１０】
また、各マンホール単位で所内に接触部及び情報処理部を接続することが可能である。さらに、マンホール側で任意にメタルケーブル心線に触れることにより、そのメタルケーブル心線の心線識別情報を情報処理部によりリアルタイムに把握可能となる。
【００１１】
また、前記接触部は、接触したメタルケーブル心線を介して、聴取不能な周波数の対照信号を前記対照心線特定装置に送信し、前記対照心線特定装置は、前記対照信号を受信することで、前記接触部により接触したメタルケーブル心線を検出するようにしている。
【００１２】
この構成によれば、使用中のメタルケーブル心線に影響を与えずに済むため、話中確認作業を省略することができ、結果的に話中確認をした所内側の作業者が指定する心線を探索することなく、特定したい任意の心線に接触することを可能としている。
【発明の効果】
【００１３】
本発明によれば、メタルケーブルの心線対照に係る作業を、所外側の作業者が所内側の作業者と同期して行うことなく迅速かつ適切に行い得る心線対照システム、心線対照方法、プログラム及び情報端末装置を提供することができる。
【図面の簡単な説明】
【００１４】
【図１】本発明の第１の実施形態に係る心線対照方法を実施する心線対照システムの概略構成図。
【図２】第１の実施形態に係る情報端末装置のブロック図。
【図３】第１の実施形態における回線状況の表示例を示す図。
【図４】心線対照システムの比較例を示す概略構成図。
【図５】第１の実施形態において、心線対照方法を実施する通信所側とマンホール側との間の制御処理手順を示すフローチャート。
【図６】本発明の第２の実施形態に係わる情報端末装置を示すブロック図。
【発明を実施するための形態】
【００１５】
以下、本発明の実施形態について、図面を参照して詳細に説明する。  
（第１の実施形態）  
図１は、第１の実施形態に係る心線対照方法を実施する心線対照システムの概略構成図である。
【００１６】
図１において、１００は通信所内のＭＤＦ(Main Distribution Frame:本配線盤)に設けられる対照心線特定装置で、通話信号を伝送する複数の対照心線（メタルケーブル心線）３０１〜３０ｎ（ｎは自然数）を有するメタルケーブル３００が接続されている。なお、メタルケーブル３００は、地下等に敷設されるものである。さらに、通信所内では、複数の対照心線３０１〜３０ｎ間の交換接続が行われる。
【００１７】
通信所外において心線対照作業を行う作業者は、接触部として対照信号発生装置１１０、及び情報端末装置１２０を携帯してマンホール（ＭＨ１）へ赴く。なお、情報端末装置１２０としては、例えばタブレットが使用される。さらに、別の作業者は、対照信号発生装置２１０及び情報端末装置２２０を携帯してマンホール（ＭＨ２）へ赴く。
【００１８】
マンホール（ＭＨ１）において、作業者は対照信号発生装置１１０のプローブ１１０ａを被対照心線３１９に接触させ、プローブ１１０ｂを空きの心線４００に接触させる。情報端末装置１２０は、対照心線特定装置１００に対しメタルケーブル３００とは異なる通信回線５００を介して接続可能であり、対照心線特定装置１００との間で通信を行う。なお、通信回線５００は、無線またはアナログ電話回線であってもよい。
【００１９】
対照信号発生装置１１０は、作業者が電源を投入することにより、例えば超音波といった人の耳により聴取不能な周波数の対照信号を発生する。この対照信号は、例えば静電誘導によりプローブ１１０ａを介して被対照心線３１９に導かれ、被対照心線３１９を介して対照心線特定装置１００に送信される。
【００２０】
対照心線特定装置１００は、複数の対照心線３０１〜３０ｎの回線状況を監視するもので、被対照心線３１９を介して伝送された対照信号を受信することによりプローブ１１０ａが接触した被対照心線３１９を検出する。そして、被対照心線３１９を特定する心線番号情報（線番、Ｌ１／Ｌ２）、及び複数の対照心線３０１〜３０ｎそれぞれの使用状況を示す回線状況情報を含む回線表示制御情報を生成し、この回線表示制御情報を通信回線５００を介して情報端末装置１２０に送信する。
【００２１】
一方、マンホール（ＭＨ２）において、作業者は対照信号発生装置２１０のプローブ２１０ａを被対照心線３０６に接触させ、プローブ２１０ｂを空きの心線４００に接触させる。情報端末装置２２０は、対照心線特定装置１００に対し通信回線５００を介して接続可能であり、対照心線特定装置１００との間で通信を行う。
【００２２】
これに対し、情報端末装置１２０，２２０は、図２に示すように構成される。なお、図２では、情報端末装置１２０を代表して説明する。
【００２３】
情報端末装置１２０は、通信部１２１と、制御部１２２と、記憶部１２３と、表示部１２４と、入力部１２５とを備えている。このうち、入力部１２５は、情報端末装置１２０に対し種々の動作指示を入力するために使用するものである。
【００２４】
通信部１２１は、対照心線特定装置１００から通信回線５００を介して送信された回線表示制御情報を受信し、記憶部１２３に記憶する。
【００２５】
制御部１２２は、記憶部１２３に記憶された回線表示制御情報に基づいて、図３に示すように、複数の対照心線３０１〜３０ｎそれぞれの回線種類及び使用状況を表示部１２４に供給して複数の対照心線３０１〜３０ｎそれぞれの心線番号に対応付けて表示するとともに、プローブ１１０ａが接触した被対照心線３１９を他の対照心線３０１〜３０ｎとは異なる表示形態で表示部１２４に表示させる。図３において、回線種類はアナログ回線及びＩＳＤＮを示す。使用状況は、使用中であれば「話中」を示す。被対照心線３１９は、例えば、心線番号「１９」であり、図３中縦２行目、図３中横９列目に該当する。図３では、被対照心線３１９のＬ１を掴んだ場合の例を示す。被対照心線３１９のＬ２を掴んだ場合も、同様に、表示部１２４に表示される。
【００２６】
次に、上記構成における動作について説明する。  
図４は、以前に実施されている心線対照システムを示す概略構成図である。
【００２７】
図４において、符号４０は被対照心線４０である。符号５０は、一般加入者の利用に供する電話回線とは別に、例えば心線対照作業を行う際に作業者と通信所との間の通信を行うために設けられた打合せ回線である。
【００２８】
通信所内の作業者は、テストホン１１を打合せ回線５０に接続するとともに、対照信号送信器１２のコネクタ１２ａを打合せ回線５０の送信側に接続し、コネクタ１２ｂを被対照心線４０に接続する。そして、通信所内の作業者は、対照信号送信器１２から被対照心線４０に対照信号を送出する。
【００２９】
一方、マンホール（ＭＨ１）側の作業者は、テストホン２１を打合せ回線５０に接続するとともに、対照信号受信器２２のコネクタ２２ａを被対照心線４０に接続し、コネクタ２２ｂを打合せ回線５０の受信側に接続する。
【００３０】
この結果、被対照心線４０と対照信号受信器２２が結合され、これによって被対照心線４０上の交流信号が対照信号受信器２２によって受信される。
【００３１】
この受信された交流信号が特定周波数の対照信号である場合には、対照信号受信器２２からテストホン２１に所定の音色の可聴信号が送られ、ブザーが鳴り対照ができる。
【００３２】
また、マンホール（ＭＨ２）側の作業者も、テストホン３１を打合せ回線５０に接続するとともに、対照信号受信器３２のコネクタ３２ａを被対照心線４０に接続し、コネクタ３２ｂを打合せ回線５０の受信側に接続する。
【００３３】
この結果、被対照心線４０と対照信号受信器３２が結合され、これによって被対照心線４０上の交流信号が対照信号受信器３２によって受信される。
【００３４】
この受信された交流信号が特定周波数の対照信号である場合には、対照信号受信器３２からテストホン３１に所定の音色の可聴信号が送られ、ブザーが鳴り対照ができる。
【００３５】
ところで、図４に示す心線対照システムでは、心線対照を行う際に、マンホール側の作業者は、所内側の作業者と同期して、作業を進める必要があり、作業が完了するまでに多くの手間と時間がかかる。また、マンホール側の作業者が、指定された心線を見つけ出さなければならないため、マンホール側の作業者に熟練及び専門的知識が必要となる。
【００３６】
そこで、第１の実施形態は、心線対照を行う際に、マンホール側の作業者は、所内側の作業者と同期して作業を行う必要がなく、またマンホール側の作業者に熟練及び専門的知識を不要としたものである。
【００３７】
図５は、心線対照方法を実施する通信所側とマンホール側との間の制御処理手順を示すフローチャートである。
【００３８】
マンホール（ＭＨ１）側において、作業者が対照信号発生装置１１０の電源をオンし、プローブ１１０ａを被対照心線３１９に接触させ、プローブ１１０ｂを空きの心線４００に接触させると（ステップＳＴ５ａ）、対照信号発生装置１１０は超音波といった人の耳により聴取不能な周波数の対照信号を発生する（ステップＳＴ５ｂ）。この対照信号は、プローブ１１０ａを介して被対照心線３１９に導かれ、被対照心線３１９を介して対照心線特定装置１００に送信される。
【００３９】
対照心線特定装置１００は、対照信号を受信するか否かを常に監視しており（ステップＳＴ５ｃ）、被対照心線３１９を介して伝送された対照信号を受信すると（Ｙｅｓ）、被対照心線３１９を特定する心線番号情報（線番、Ｌ１／Ｌ２）、及び複数の対照心線３０１〜３０ｎそれぞれの使用状況を示す回線状況情報を含む回線表示制御情報を生成し（ステップＳＴ５ｄ）、この回線表示制御情報を通信回線５００を介して情報端末装置１２０に送信する（ステップＳＴ５ｅ）。
【００４０】
情報端末装置１２０は、通信部１２１により対照心線特定装置１００から通信回線５００を介して送信された回線表示制御情報を通信部１２１で受信し、記憶部１２３に記憶する（ステップＳＴ５ｆ）。
【００４１】
そして、情報端末装置１２０は、制御部１２２により記憶部１２３に記憶された回線表示制御情報に基づいて、複数の対照心線３０１〜３０ｎそれぞれの回線種類及び使用状況を表示部１２４に供給して複数の対照心線３０１〜３０ｎそれぞれの心線番号に対応付けて表示するとともに、プローブ１１０ａが接触した被対照心線３１９を他の対照心線３０１〜３０ｎとは異なる表示形態で表示部１２４に表示させる（ステップＳＴ５ｇ）。
【００４２】
なお、マンホール（ＭＨ２）側においても、上記マンホール（ＭＨ１）側と同様な手順が実行される。
【００４３】
以上のように上記第１の実施形態では、マンホール（ＭＨ１）側において、任意の被対照心線３１９を対照信号発生装置１１０のプローブ１１０ａを用いて接触してから任意の被対照心線３１９を情報端末装置１２０の表示部１２４に表示する処理までの工程が、人手を要することなく全て自動的に行われることになる。このため、所内の作業者による心線対照作業が一切不要となる。
【００４４】
従って、マンホール（ＭＨ１）側の作業者にとっては、所内側の作業者と同期して行うことなく、さらに熟練及び専門的知識を必要とすることなく、心線対照作業を迅速かつ適切に行うことができる。
【００４５】
また、各マンホール単位で所内に対照信号発生装置１１０及び情報端末装置１２０を接続することが可能である。さらに、マンホール（ＭＨ１）側で任意に被対照心線３１９に触れることにより、その被対照心線３１９の心線番号情報を情報端末装置１２０によりリアルタイムに把握可能となる。
【００４６】
さらに、上記第１の実施形態では、対照信号発生装置１１０は、接触した被対照心線３１９を介して、超音波といった聴取不能な周波数の対照信号を対照心線特定装置１００に送信し、対照心線特定装置１００は、対照信号を受信することで、被対照心線３１９を検出するようにしているので、被対照心線３１９が通話に使用されている状態であっても影響を与えずに済む。このため、話中確認作業を省略することができ、結果的に話中確認をした所内側の作業者が指定する心線を探索することなく、特定したい任意の被対照心線３１９に接触することが可能となる。
【００４７】
（第２の実施形態）  
第２の実施形態は、対照信号発生装置１１０と情報端末装置１２０とを一体的に設けた情報端末装置である。
【００４８】
図６は、第２の実施形態に係わる情報端末装置を示すブロック図である。なお、図６において、上記図２と同一部分には同一符号を付して詳細な説明を省略する。
【００４９】
情報端末装置１２０には、対照信号発生装置１１０を接続するためのインタフェース部１２６が新たに設けられる。対照信号発生装置１１０は、インタフェース部１２６に接続されることにより、制御部１２２により動作制御される。また、対照信号発生装置１１０は、インタフェース部１２６を介して、制御部１２２により電源供給が行われる。
【００５０】
このように、上記第２の実施形態にあっては、上記第１の実施形態と同様の作用効果が得られるとともに、情報端末装置１２０により対照信号発生装置１１０の動作を制御可能となるとともに、対照信号発生装置１１０の電源供給も制御可能となる。
【００５１】
（他の実施形態）  
上記各実施形態の情報端末装置は、コンピュータとプログラムによっても実現でき、プログラムを記録媒体に記録することも、ネットワークを通して提供することも可能である。
【００５２】
また、上記第１の実施形態において、対照信号として超音波を用いる例について説明したが、超音波以外の人の耳により聴取不能な周波数の対照信号を用いるものであってもよい。
【００５３】
さらに、上記第１の実施形態では、静電誘導により被対照心線３１９に対照信号を導通させる例について説明したが、静電誘導に限ることなく、直接被対照心線３１９を刃物などで貫通させ、対照信号を直接導通させるものであってもよい。
【００５４】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５５】
１１…テストホン、１２…対照信号送信器、１２ａ…コネクタ、１２ｂ…コネクタ、２１, ３１…テストホン、２２, ３２…対照信号受信器、２２ａ, ３２ａ, ２２ｂ, ３２ｂ…コネクタ、２２ｂ,…コネクタ、４０…被対照心線、５０…打合せ回線、１００…対照心線特定装置、１１０…対照信号発生装置、１１０ａ…プローブ、１１０ｂ…プローブ、１２０…情報端末装置、１２１…通信部、１２２…制御部、１２３…記憶部、１２４…表示部、１２５…入力部、１２６…インタフェース部、２１０…対照信号発生装置、２１０ａ…プローブ、２１０ｂ…プローブ、２２０…情報端末装置、３００…メタルケーブル、３０１〜３０ｎ…対照心線、４００…心線、５００…通信回線。
【図１】
0005982514.tif 000002
【図２】
0005982514.tif 000003
【図３】
0005982514.tif 000004
【図４】
0005982514.tif 000005
【図５】
0005982514.tif 000006
【図６】
0005982514.tif 000007